(57)【要約】【課題】あらかじめ詳細電話帳にデータが登録されていない状態においても、簡易電話帳の画面から詳細電話帳のデータを直接登録する携帯電話装置等を提供すること。【解決手段】簡易電話帳画面上から、簡易電話帳の登録操作がなされると登録する相手の名前を入力させる画面を表示し、詳細電話帳に登録される情報の入力が完了した場合、登録が完了した旨の表示を行い、簡易電話帳に登録する電話番号や電子メールアドレスをそれぞれ１件ずつ選択させる画面を表示し、簡易電話帳に登録する電話番号や電子メールアドレスをそれぞれ選択した後、登録完了の操作により、簡易電話帳への登録が完了する。【選択図】図１
2009278561.tif 000002
【特許請求の範囲】
【請求項１】
簡易電話帳画面上から、簡易電話帳の登録操作がなされると登録する相手の名前を入力させる画面を表示し、
詳細電話帳に登録される内容である電話番号や電子メールアドレス等の情報の入力が完了した場合、登録が完了した旨の表示を行い、
前記簡易電話帳に登録する電話番号や電子メールアドレスをそれぞれ１件ずつ選択させる画面を表示し、
前記簡易電話帳に登録する電話番号や電子メールアドレスをそれぞれ選択した後、登録完了の操作がなされることにより、前記簡易電話帳への登録が完了することを特徴とする携帯電話装置。
【請求項２】
前記簡易電話帳画面から登録操作を行った場合、前記詳細電話帳を参照して登録するかそれとも直接入力して登録するかをユーザに選択させる画面を表示することを特徴とする請求項１記載の携帯電話装置。
【請求項３】
簡易電話帳画面上から、簡易電話帳の登録操作がなされると登録する相手の名前を入力させる画面を表示するステップと、
詳細電話帳に登録される内容である電話番号や電子メールアドレス等の情報の入力が完了した場合、登録が完了した旨の表示を行うステップと、
前記簡易電話帳に登録する電話番号や電子メールアドレスをそれぞれ１件ずつ選択させる画面を表示するステップと、
前記簡易電話帳に登録する電話番号や電子メールアドレスをそれぞれ選択した後、登録完了の操作がなされることにより、前記簡易電話帳への登録が完了するステップとを有することを特徴とする携帯電話装置の操作方法。
【請求項４】
前記簡易電話帳画面から登録操作を行った場合、前記詳細電話帳を参照して登録するかそれとも直接入力して登録するかをユーザに選択させる画面を表示するステップを有することを特徴とする請求項３記載の携帯電話装置の操作方法。
【請求項５】
コンピュータに、簡易電話帳画面上から、簡易電話帳の登録操作がなされると登録する相手の名前を入力させる画面を表示する処理と、
詳細電話帳に登録される内容である電話番号や電子メールアドレス等の情報の入力が完了した場合、登録が完了した旨の表示を行う処理と、
前記簡易電話帳に登録する電話番号や電子メールアドレスをそれぞれ１件ずつ選択させる画面を表示する処理と、
前記簡易電話帳に登録する電話番号や電子メールアドレスをそれぞれ選択した後、登録完了の操作がなされることにより、前記簡易電話帳への登録が完了する処理とを実行させることを特徴とするプログラム。
【請求項６】
前記簡易電話帳画面から登録操作を行った場合、前記詳細電話帳を参照して登録するかそれとも直接入力して登録するかをユーザに選択させる画面を表示する処理を実行させることを特徴とする請求項５記載のプログラム。
【発明の詳細な説明】
【技術分野】
【０００１】
本発明は、携帯電話装置において簡易電話帳から詳細電話帳に直接電話帳のデータを登録する技術に関する。
【背景技術】
【０００２】
関連する携帯電話装置では、簡易電話帳の画面から相手の電話番号や電子メールアドレス等のデータを簡易電話帳に登録する場合、あらかじめ詳細電話帳に相手の電話番号や電子メールアドレス等のデータを登録しておく必要があった。
【０００３】
なお、簡易電話帳（直デン）とはユーザが頻繁に電話や電子メールをする相手の電話番号や電子メールアドレスをそれぞれ1件ずつ簡易電話帳に登録しておくことにより、待受画面から簡単な操作で簡易電話帳を起動しその相手に電話やメールをすることが可能な電話帳のことである。
【０００４】
図２、図３に関連する携帯電話装置における簡易電話帳への登録方法を示す。
【０００５】
関連技術として、文字情報で入手した電子電子メールアドレス、電話番号等の情報を入手した情報のまま正確に、かつ簡単に電話帳へ登録できる移動体通信端末を提供する技術が提案されている。その構成は、受信メールの内容には、通話相手、または情報を送受信する相手のアドレスに相当する文字列が２つ存在する。１つは電話番号（３行目の０３−０００−００００）であり、もう１つは電子電子メールアドレス（５行目のａａａ＠ｂｃｄ．ｅｆ．ｊｐ）である。これら２つのアドレスを表す文字列を検索し、表示部に表示し、表示させたアドレスを選択することにより電話帳へ登録する（例えば、特許文献１参照）。
【特許文献１】特開２００１−１１１６７２号公報
【発明の開示】
【発明が解決しようとする課題】
【０００６】
しかしながら、上述の関連技術は、簡易電話帳の画面からはその詳細電話帳のデータを参照することでしか、簡易電話帳にデータを登録することができないため、簡易電話帳への登録が煩わしくステップ数の多い操作となるという問題があった。
【０００７】
本発明は、以上のような課題を解決するためになされたもので、あらかじめ詳細電話帳にデータが登録されていない状態においても、簡易電話帳の画面から詳細電話帳のデータを直接登録できるようにし続けて簡易電話帳に登録する電話番号や電子メールアドレスをそれぞれ1件ずつ選択することにより簡易電話帳への登録を可能とし、煩わしいステップの多い操作を行うことなく、簡易電話帳への登録を可能にする携帯電話装置およびその操作方法を提供することを目的とする。
【課題を解決するための手段】
【０００８】
本発明の携帯電話装置は、簡易電話帳画面上から、簡易電話帳の登録操作がなされると登録する相手の名前を入力させる画面を表示し、
詳細電話帳に登録される内容である電話番号や電子メールアドレス等の情報の入力が完了した場合、登録が完了した旨の表示を行い、
前記簡易電話帳に登録する電話番号や電子メールアドレスをそれぞれ１件ずつ選択させる画面を表示し、
前記簡易電話帳に登録する電話番号や電子メールアドレスをそれぞれ選択した後、登録完了の操作がなされることにより、前記簡易電話帳への登録が完了することを特徴とする。
【０００９】
また、本発明の携帯電話装置の操作方法は、簡易電話帳画面上から、簡易電話帳の登録操作がなされると登録する相手の名前を入力させる画面を表示するステップと、
詳細電話帳に登録される内容である電話番号や電子メールアドレス等の情報の入力が完了した場合、登録が完了した旨の表示を行うステップと、
前記簡易電話帳に登録する電話番号や電子メールアドレスをそれぞれ１件ずつ選択させる画面を表示するステップと、
前記簡易電話帳に登録する電話番号や電子メールアドレスをそれぞれ選択した後、登録完了の操作がなされることにより、前記簡易電話帳への登録が完了するステップとを有することを特徴とする。
【００１０】
また、本発明のプログラムは、コンピュータに、簡易電話帳画面上から、簡易電話帳の登録操作がなされると登録する相手の名前を入力させる画面を表示する処理と、
詳細電話帳に登録される内容である電話番号や電子メールアドレス等の情報の入力が完了した場合、登録が完了した旨の表示を行う処理と、
前記簡易電話帳に登録する電話番号や電子メールアドレスをそれぞれ１件ずつ選択させる画面を表示する処理と、
前記簡易電話帳に登録する電話番号や電子メールアドレスをそれぞれ選択した後、登録完了の操作がなされることにより、前記簡易電話帳への登録が完了する処理とを実行させることを特徴とする。
【発明の効果】
【００１１】
本発明によれば、あらかじめ詳細電話帳にデータが登録されていない状態においても、簡易電話帳の画面から詳細電話帳のデータを直接登録することが可能となる。
【発明を実施するための最良の形態】
【００１２】
以下、本発明の第一の実施の形態について図面を参照して詳細に説明する。図１に示す本実施の形態における携帯電話装置の簡易電話帳への登録方法は、あらかじめ詳細電話帳にデータが登録されていない状態においても、簡易電話帳の画面から詳細電話帳のデータを直接登録することすることが可能となり、続けて簡易電話帳に登録する電話番号や電子メールアドレスそれぞれ1件を選択することにより、簡易電話帳への登録も可能となるため、従来の携帯電話装置のような煩わしくステップ数の多い操作を行うことなく、簡易電話帳への登録が可能となる。
【００１３】
なお、携帯電話装置は既知の構成を備え、一般の通話機能や電子メール機能を有し、ＣＰＵの制御により、入力部からのユーザの入力指令に応じて表示部に所定の情報を出力する。
【００１４】
簡易電話帳に相手の電話番号や電子メールアドレスデータが登録されていない状態で、簡易電話帳画面から登録操作を行った場合、図１に示すように、詳細電話帳を参照して登録するかそれとも直接入力し登録するかを選択させ、直接入力を選択した場合は、詳細電話帳に相手の電話番号や電子メールアドレスデータを登録した後に続けて簡易電話帳に登録したい電話番号や電子メールアドレスをそれぞれ1件ずつ選択させることにより、簡易電話帳への登録が可能となる。
【００１５】
以下に、本実施の形態の動作の詳細について説明する。
【００１６】
待受画面（詳細電話帳には1件もデータが登録されていない状態）で（ステップＳ１）、１回のキー操作などにより簡単な操作で簡易電話帳（直デン）を起動する（ステップＳ２）。
【００１７】
簡易電話帳（直デン）画面上から、簡易電話帳の登録操作を行った場合、簡易電話帳への登録方法をユーザに選択させるための画面を表示する。
【００１８】
この画面には、詳細電話帳から参照して簡易電話帳に登録するか、それとも直接入力して登録させるかの選択肢を表示する（ステップＳ３'）。
【００１９】
ユーザが直接入力を選択した場合、登録する相手の名前を入力させる画面を表示する（ステップＳ４'）。
【００２０】
尚、ここからの入力内容は詳細電話帳に登録される内容である（ステップＳ５'）。
【００２１】
電話番号や電子メールアドレス等の情報の入力が完了した場合、登録が完了した旨の表示を行う（ステップＳ６'）。ここで詳細電話帳には複数の電話番号や電子メールアドレスが登録可能であるが、簡易電話帳にはそれぞれ１件ずつの電話番号と電子メールアドレスしか登録できないため、ステップＳ６'の登録完了画面の後は、簡易電話帳に登録する電話番号や電子メールアドレスをそれぞれ１件ずつ選択させる画面を表示する（ステップＳ７'）。
【００２２】
簡易電話帳に登録する電話番号や電子メールアドレスをそれぞれ選択した後、登録完了の操作を行うことにより、簡易電話帳への登録が完了する（ステップＳ８'）。
【００２３】
本発明による携帯電話装置では、あらかじめ詳細電話帳にデータが登録されていない状態においても、簡易電話帳の画面から詳細電話帳のデータを直接登録することが可能となる。
【００２４】
また、簡易電話帳の画面から詳細電話帳のデータを直接登録した後に続けて簡易電話帳に登録する電話番号や電子メールアドレスを選択することにより、簡易電話帳への登録も可能となる。
【００２５】
本発明の他の実施の形態として、簡易電話帳画面から登録操作を行った場合、直接入力して登録する操作だけでなく、関連する携帯電話装置のように詳細電話帳を参照する方法によっても簡易電話帳にデータを登録できるようにする。
【００２６】
これを可能とするために、簡易電話帳画面から登録操作を行った場合、詳細電話帳を参照して登録するかそれとも直接入力して登録するかをユーザに選択させる画面を表示させることにより実現する。
【００２７】
なお、上述する各実施の形態は、本発明の好適な実施の形態であり、本発明の要旨を逸脱しない範囲内において種々変更実施が可能である。例えば、携帯電話装置の機能を実現するためのプログラムを携帯電話装置に読込ませて実行することにより携帯電話装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００２８】
【図１】本発明の実施の形態に係る処理を示す図である。
【図２】関連技術の処理を示す図である。
【図３】関連技術の処理を示す図である。
【図１】
2009278561.tif 000003
【図２】
2009278561.tif 000004
【図３】
2009278561.tif 000005